(57)【要約】  【課題】遊技場側が集客や売上増加等のための宣伝活動を行う上で、各地域毎の情報に基づいて各地域に対して効率の良い宣伝活動を行うことを可能とする遊技用会員管理装置の提供。  【解決手段】制御部６２は、ハードディスク６３に記憶された遊技情報ＤＢ及び会員情報ＤＢに基づいて、各遊技場１について、来店人数と、消費金額と、遊技時間とを、各地域毎に集計し、インターネット４を介してセンター管理装置６０に接続可能な情報端末７０から、ユーザＩＤ及びパスワードを含む集計情報要求を受信して、集計情報のうち、該受信した集計情報要求に含まれるユーザＩＤ及びパスワードから特定される遊技場についての集計情報を、前記集計情報要求の送信元である情報端末に対して送信する。【選択図】        図１
2005130901.tif 000002
【特許請求の範囲】
【請求項１】
会員登録を行った会員遊技者を特定可能な会員遊技者特定情報と対応付けて該会員遊技者が属する地域を特定可能な地域情報を記憶する地域情報記憶手段と、
前記会員遊技者が遊技場に来店したことを特定するための来店情報、前記会員遊技者が遊技に消費した金額を特定するための消費金額情報、又は前記会員遊技者が遊技を行った時間を特定するための遊技時間情報のうちの少なくとも一以上の情報と、当該会員遊技者を特定可能な前記会員遊技者特定情報と、を含む遊技関連情報を受信する受信手段と、
該受信手段により受信した遊技関連情報に基づいて、前記来店情報と、前記消費金額情報と、前記遊技時間情報とを、前記会員遊技者特定情報と対応付けて記憶する遊技関連情報記憶手段と、
該遊技関連情報記憶手段に前記会員遊技者特定情報と対応付けて記憶された情報及び前記地域情報記憶手段に前記会員遊技者特定情報と対応付けて記憶された地域情報に基づいて、所定期間において会員遊技者が遊技場に来店した来店人数と、該所定期間において会員遊技者が遊技に消費した消費金額と、該所定期間において会員遊技者が遊技を行った遊技時間とを、前記地域情報から特定される各地域毎に集計する集計手段と、
該集計手段により集計した集計情報を出力するための処理を行う出力処理手段と、
を備えることを特徴とする遊技用会員管理装置。
【請求項２】
請求項１に記載した遊技用会員管理装置であって、
前記地域情報記憶手段は、前記記憶している会員遊技者特定情報と対応付けて前記会員遊技者が会員登録を行った遊技場を特定可能な遊技場特定情報を記憶し、
前記集計手段は、前記地域情報記憶手段に前記会員遊技者特定情報と対応付けて記憶された地域情報及び遊技場特定情報、並びに前記遊技関連情報記憶手段に前記会員遊技者特定情報と対応付けて記憶された情報に基づいて、前記遊技場特定情報から特定される各遊技場について、前記来店人数と、前記消費金額と、前記遊技時間とを、前記地域情報から特定される各地域毎に集計し、
通信回線を介して遊技用会員管理装置に接続可能な情報端末から、前記遊技場特定情報と、前記集計情報の送信を要求する旨を示す情報と、を含む集計情報要求を受信する集計情報要求受信手段と、
該集計情報要求受信手段により集計情報要求を受信したことに基づいて、前記集計情報のうち、該受信した集計情報要求に含まれる遊技場特定情報から特定される遊技場についての集計情報を、前記集計情報要求の送信元である情報端末に対して送信する集計情報送信手段と、
をさらに備えることを特徴とする遊技用会員管理装置。
【請求項３】
請求項１又は２に記載した遊技用会員管理装置であって、
前記地域情報記憶手段に前記会員遊技者特定情報と対応付けて記憶された地域情報に基づいて、各遊技場について前記地域情報から特定される各地域毎に該各地域に属する会員遊技者数を集計する地域別会員数集計手段と、
該地域別会員数集計手段により集計した各地域毎の会員遊技者数の分布状況を、前記遊技場の所在地及び周辺を含む地図上における各地域と対応付けて示すための会員分布地図を作成する会員分布地図作成手段と、をさらに備え、
前記出力処理手段は、該会員分布地図作成手段により作成した会員分布地図を出力するための処理を行うことを特徴とする遊技用会員管理装置。
【請求項４】
請求項１〜３のいずれか１つに記載した遊技用会員管理装置であって、
前記集計手段は、前記来店人数を各地域毎に集計するときに、延べ来店人数及び実来店人数を各地域毎に集計し、
前記地域情報記憶手段に前記会員遊技者特定情報と対応付けて記憶された地域情報に基づいて、各遊技場について前記地域情報から特定される各地域毎に該各地域に属する会員遊技者数を集計する地域別会員数集計手段と、
前記地域別会員数集計手段により集計された各地域毎の会員遊技者数と、前記集計手段により集計された各地域毎の実来店人数との比率である来店比率を算出する来店比率算出手段と、をさらに備え、
前記出力処理手段は、該来店比率算出手段により算出した来店比率を出力するための処理を行うことを特徴とする遊技用会員管理装置。
【請求項５】
請求項１〜４のいずれか１つに記載した遊技用会員管理装置であって、
前記地域情報記憶手段に前記会員遊技者特定情報と対応付けて記憶された地域情報に基づいて、所定期間において各遊技場で新規に会員登録を行った会員遊技者数を各地域毎に集計する地域別新規会員数集計手段と、
該地域別新規会員数集計手段により集計された新規会員数を所定期間毎に記憶する新規会員数記憶手段と、
該新規会員数記憶手段に所定期間毎に記憶された新規会員数の推移を示す推移情報を作成する新規会員数推移情報作成手段と、
をさらに備え、
前記出力処理手段は、該新規会員数推移情報作成手段により作成された推移情報を出力するための処理を行うことを特徴とする遊技用会員管理装置。  
【請求項６】
請求項１〜５のいずれか１つに記載した遊技用会員管理装置であって、
前記遊技場についての宣伝が行われた宣伝期間を各地域毎に記憶する宣伝期間記憶手段をさらに備え、
前記集計手段は、該宣伝期間記憶手段に各地域毎に記憶された宣伝期間に基づいて、少なくとも該宣伝期間前及び該宣伝期間後において前記来店人数を集計し、
前記出力処理手段は、該集計手段により集計した宣伝期間前の来店人数と宣伝期間後の来店人数の変化を特定可能に出力するための処理を行うことを特徴とする遊技用会員管理装置。
【発明の詳細な説明】
【技術分野】
【０００１】
本発明は、会員登録を行った会員遊技者の遊技に関する情報を管理する遊技用会員管理装置に係り、特に会員遊技者が属する地域毎に前記遊技に関する情報を集計する遊技用会員管理装置に関する。
【背景技術】
【０００２】
従来より、例えば特許文献１に示すように、会員登録を行った会員遊技者の来店回数等を管理して、所定の条件（例えば来店回数５回以上）を満たす会員遊技者に対して遊技場情報（例えば翌日還元セールや無定量営業実施等の告知）をＥメールで送信する遊技場システムが提案されている。これによれば、遊技場側は会員遊技者の条件に応じた情報を送信することによって来店を促すことができる。また、特許文献２に示すように、所定店舗（例えば自社ホール）の周辺地図において顧客所在地上に顧客マークを表示すると共に、入力した検索条件（例えば自社ホール・全会員）に基づいて顧客情報を表示する顧客管理装置も提案されている。これによれば、遊技場側は顧客の分布状況を視覚的に認識し、顧客の個別情報を入手することができる。
【０００３】
【特許文献１】特開２００１−６２１３３号公報（第５頁，図３）
【特許文献２】特開２０００−１９７７５６号公報（第８頁，図１３）
【発明の開示】
【発明が解決しようとする課題】
【０００４】
しかしながら、上記従来の技術では、会員遊技者が属する地域について、各地域毎の情報（例えば来店人数，消費金額，又は遊技時間）を把握することができず、遊技場側が集客や売上増加等のための宣伝活動を行う上で、前記各地域毎の情報に基づいて各地域に対して効率の良い宣伝活動を行うことができないという問題があった。
【０００５】
本発明は、このような背景のもとになされたものであり、その目的は、遊技場側が集客や売上増加等のための宣伝活動を行う上で、各地域毎の情報に基づいて各地域に対して効率の良い宣伝活動を行うことを可能とする遊技用会員管理装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、会員登録を行った会員遊技者を特定可能な会員遊技者特定情報（会員ＩＤ）と対応付けて該会員遊技者が属する地域を特定可能な地域情報（地域ＩＤ）を記憶する地域情報記憶手段（ハードディスク６３）と、前記会員遊技者が遊技場に来店したことを特定するための来店情報、前記会員遊技者が遊技に消費した金額を特定するための消費金額情報、又は前記会員遊技者が遊技を行った時間を特定するための遊技時間情報のうちの少なくとも一以上の情報と、当該会員遊技者を特定可能な前記会員遊技者特定情報と、を含む遊技関連情報を受信する受信手段（通信部６１）と、該受信手段により受信した遊技関連情報に基づいて、前記来店情報と、前記消費金額情報と、前記遊技時間情報とを、前記会員遊技者特定情報と対応付けて記憶する遊技関連情報記憶手段（ハードディスク６３）と、該遊技関連情報記憶手段に前記会員遊技者特定情報と対応付けて記憶された情報及び前記地域情報記憶手段に前記会員遊技者特定情報と対応付けて記憶された地域情報に基づいて、所定期間（１ヶ月）において会員遊技者が遊技場に来店した来店人数と、該所定期間において会員遊技者が遊技に消費した消費金額と、該所定期間において会員遊技者が遊技を行った遊技時間とを、前記地域情報から特定される各地域毎に集計する集計手段（制御部６２）と、
該集計手段により集計した集計情報を出力するための処理を行う出力処理手段（通信部６１，制御部６２）と、を備えることを特徴とする遊技用会員管理装置（センター管理装置６０）である。
【０００８】
また請求項２に係る発明は、請求項１に記載した遊技用会員管理装置（センター管理装置６０）であって、前記地域情報記憶手段（ハードディスク６３）は、前記記憶している会員遊技者特定情報（会員ＩＤ）と対応付けて前記会員遊技者が会員登録を行った遊技場を特定可能な遊技場特定情報（遊技場ＩＤ）を記憶し、前記集計手段（制御部６２）は、前記地域情報記憶手段に前記会員遊技者特定情報と対応付けて記憶された地域情報（地域ＩＤ）及び遊技場特定情報、並びに前記遊技関連情報記憶手段（ハードディスク６３）に前記会員遊技者特定情報と対応付けて記憶された情報に基づいて、前記遊技場特定情報から特定される各遊技場について、前記来店人数と、前記消費金額と、前記遊技時間とを、前記地域情報から特定される各地域毎に集計し、通信回線（インターネット４）を介して遊技用会員管理装置に接続可能な情報端末（７０）から、前記遊技場特定情報（ユーザＩＤ，パスワード）と、前記集計情報の送信を要求する旨を示す情報と、を含む集計情報要求を受信する集計情報要求受信手段（通信部６１）と、該集計情報要求受信手段により集計情報要求を受信したことに基づいて、前記集計情報のうち、該受信した集計情報要求に含まれる遊技場特定情報から特定される遊技場についての集計情報を、前記集計情報要求の送信元である情報端末に対して送信する集計情報送信手段（通信部６１）と、をさらに備えることを特徴とする遊技用会員管理装置である。
【０００９】
また請求項３に係る発明は、請求項１又は２に記載した遊技用会員管理装置（センター管理装置６０）であって、前記地域情報記憶手段（ハードディスク６３）に前記会員遊技者特定情報（会員ＩＤ）と対応付けて記憶された地域情報（地域ＩＤ）に基づいて、各遊技場について前記地域情報から特定される各地域毎に該各地域に属する会員遊技者数を集計する地域別会員数集計手段（制御部６２）と、該地域別会員数集計手段により集計した各地域毎の会員遊技者数の分布状況を、前記遊技場の所在地及び周辺を含む地図上における各地域と対応付けて示すための会員分布地図を作成する会員分布地図作成手段（制御部６２）と、をさらに備え、前記出力処理手段（通信部６１，制御部６２）は、該会員分布地図作成手段により作成した会員分布地図を出力するための処理を行うことを特徴とする遊技用会員管理装置である。
【００１０】
また請求項４に係る発明は、請求項１〜３のいずれか１つに記載した遊技用会員管理装置（センター管理装置６０）であって、前記集計手段（制御部６２）は、前記来店人数を各地域毎に集計するときに、延べ来店人数及び実来店人数を各地域毎に集計し、前記地域情報記憶手段（ハードディスク６３）に前記会員遊技者特定情報（会員ＩＤ）と対応付けて記憶された地域情報（地域ＩＤ）に基づいて、各遊技場について前記地域情報から特定される各地域毎に該各地域に属する会員遊技者数を集計する地域別会員数集計手段（制御部６２）と、前記地域別会員数集計手段により集計された各地域毎の会員遊技者数と、前記集計手段により集計された各地域毎の実来店人数との比率である来店比率を算出する来店比率算出手段（制御部６２）と、をさらに備え、前記出力処理手段（通信部６１，制御部６２）は、該来店比率算出手段により算出した来店比率を出力するための処理を行うことを特徴とする遊技用会員管理装置である。
【００１１】
また請求項５に係る発明は、請求項１〜４のいずれか１つに記載した遊技用会員管理装置（センター管理装置６０）であって、前記地域情報記憶手段（ハードディスク６３）に前記会員遊技者特定情報（会員ＩＤ）と対応付けて記憶された地域情報（地域ＩＤ）に基づいて、所定期間（１ヶ月）において各遊技場で新規に会員登録を行った会員遊技者数を各地域毎に集計する地域別新規会員数集計手段（制御部６２）と、該地域別新規会員数集計手段により集計された新規会員数を所定期間毎に記憶する新規会員数記憶手段（ハードディスク６３）と、該新規会員数記憶手段に所定期間毎に記憶された新規会員数の推移を示す推移情報を作成する新規会員数推移情報作成手段（制御部６２）と、をさらに備え、前記出力処理手段（通信部６１，制御部６２）は、該新規会員数推移情報作成手段により作成された推移情報を出力するための処理を行うことを特徴とする遊技用会員管理装置である。
【００１２】
さらに請求項６に係る発明は、請求項１〜５のいずれか１つに記載した遊技用会員管理装置（センター管理装置６０）であって、前記遊技場についての宣伝が行われた宣伝期間を各地域毎に記憶する宣伝期間記憶手段（ハードディスク６３）をさらに備え、前記集計手段（制御部６２）は、該宣伝期間記憶手段に各地域毎に記憶された宣伝期間に基づいて、少なくとも該宣伝期間前及び該宣伝期間後において前記来店人数を集計し、前記出力処理手段（通信部６１，制御部６２）は、該集計手段により集計した宣伝期間前の来店人数と宣伝期間後の来店人数の変化を特定可能に出力するための処理を行うことを特徴とする遊技用会員管理装置である。
【発明の効果】
【００１３】
まず請求項１に係る遊技用会員管理装置によれば、各地域毎の会員遊技者の来店人数，消費金額，及び遊技時間を集計するため、遊技場側は会員遊技者が属する各地域毎の情報（例えば来店人数，消費金額，及び遊技時間）を把握して、集客や売上増加等のための宣伝活動を行う上で、各地域毎の情報に基づいて各地域に対して効率の良い宣伝活動（例えば来店人数の少ない地域に対して来店を促す宣伝を行う等）を行うことができる。
【００１４】
また請求項２に係る遊技用会員管理装置によれば、情報端末によって会員遊技者が属する各地域毎の情報（例えば来店人数，消費金額，及び遊技時間）を確認することができるので、遊技場側の利便性が向上する。また、各遊技場において、各地域毎の情報を集計するための装置を設ける必要が無く、集計用のソフトウェアも必要ないため、各地域毎の情報を集計するために必要な出費を省くことができると共に、集計用のソフトウェアの変更に伴う出費や更新作業の手間も省くことができる。
【００１５】
また請求項３に係る遊技用会員管理装置によれば、遊技場側は会員遊技者の分布状況を把握して、各地域毎に会員遊技者数に応じた宣伝活動（例えば会員遊技者の少ない地域に対して会員登録を促す宣伝を行い、会員遊技者の多い地域に対して会員遊技者限定の特典情報を宣伝する等）を行うことができる。
【００１６】
また請求項４に係る遊技用会員管理装置によれば、遊技場側は各地域毎の会員遊技者数と各地域毎の実来店人数との比率である来店比率を把握して、来店比率に応じた宣伝活動の内容（例えば来店比率が低い地域に対して来店を促す宣伝を行う等）を検討することができる。
【００１７】
また請求項５に係る遊技用会員管理装置によれば、遊技場側は所定期間において新規に会員登録を行った会員遊技者数の推移を各地域毎に把握して、推移情報に応じた宣伝活動の内容（例えば新規の会員遊技者の少ない地域に対して会員登録を促す宣伝を行う等）を検討することができる。
【００１８】
さらに請求項６に係る遊技用会員管理装置によれば、遊技場側は宣伝期間前後の来店人数の変化を把握して、宣伝活動を行ったことにより得られる効果を確認することができると共に、今後の宣伝活動の内容を検討する上での参考にすることができる。
【発明を実施するための最良の形態】
【００１９】
以下、発明を実施するための最良の形態を、図面を参照して説明する。なお図１に示すように、ここでは遊技場１が遊技場Ａ〜Ｄの４つである例について説明するが、遊技場１の数はこれに限られずいくつでも良い。また本実施形態では、図２（ｂ）に示すように、会員カード５と、貨幣６が使用される。会員カード５は、会員登録を行った会員遊技者を特定可能な会員遊技者特定情報である会員ＩＤが記録された記録媒体であり、残度数も記録されている。この残度数は、遊技に使用可能な金額が所定の比率で変換されたもの（例えば１００円＝１度数）である。この会員カード５は、会員登録を行った会員遊技者に対して発行され、例えば長方形状を呈するプラスチック製の薄板における所定の部位に記録領域が形成されてなるものであり、ここでは該記録領域として不揮発性のＥＥＰＲＯＭを備える非接触式の集積回路を搭載したＩＣカードである。貨幣６は、ここでは１０００円紙幣，２０００円紙幣，５０００円紙幣，及び１００００円紙幣の４種類の紙幣である。なお、以下においては、カードリーダライタを「カードＲ／Ｗ」，データベースを「ＤＢ」と略記する。
【００２０】
図１に示すように、遊技場１内の遊技島（図示外）に配置されるパチンコ機１０は、遊技媒体であるパチンコ玉を遊技領域に打ち込むことにより遊技を行うものであり、ここではカードユニット２０と通信可能であり、該カードユニット２０とパチンコ機１０との間でパチンコ玉の貸与に関する信号のやり取りが行われることにより該パチンコ機１０の内部からパチンコ玉が払い出されて貸与される、いわゆるＣＲ式のパチンコ機１０である。ここでカードユニット２０は、パチンコ機１０に対応して（ここではパチンコ機１０の左側に隣接して）設けられるものである。
【００２１】
このカードユニット２０の前面には、図２（ａ）に示すように、貨幣挿入口２３ａ，タッチパネル式のディスプレイ２５，及びカード挿入口２４ａ等が設けられている。またカードユニット２０の内部には、図２（ｂ）に示すように、貨幣識別機２３，制御部２２，通信部２１，及びカードＲ／Ｗ２４等が設けられている。これらカードユニット２０に設けられる各機器は、図２（ｃ）に示すように接続されている。
【００２２】
通信部２１は、通信回線を介して遊技場管理装置５０の場内通信部５１と通信可能に接続され、カードユニット２０と遊技場管理装置５０との間の通信を司るものである。この通信部２１と遊技場管理装置５０の場内通信部５１との間では、カードユニット２０が会員カード５を受け付けたときや、該会員カード５に記録された残度数を使用した玉貸処理が行われたときに、情報の送受が行われる。この情報の送受については後述する。
【００２３】
制御部２２は、ＣＰＵ，ＲＡＭ，及びＲＯＭ等を備え、ＲＯＭに記憶されている処理プログラムがＲＡＭを作業領域としてＣＰＵで実行されることにより、カードユニット２０に設けられる各構成要素の動作を制御して各種の処理を行うものである。
【００２４】
貨幣識別機２３は、貨幣６を受け付けるものであり、ここでは貨幣挿入口２３ａから挿入された貨幣６の金額を識別する。なお貨幣識別機２３により受け付けられた貨幣６は、カードユニット２０の背面から外部に排出され、遊技島に設けられた図示しない貨幣搬送機構により搬送されて図示しない金庫に回収される
【００２５】
カードＲ／Ｗ２４は、会員カード５を受け付けて該会員カード５の記録情報を読み取るものであり、ここではカード挿入口２４ａから挿入された会員カード６から記録情報である会員ＩＤ，残度数，及びセキュリティコード等を読み取ると共に、残度数の加算更新，及び減算更新が行われる毎に該更新後の残度数を該会員カード５に書き込む。
【００２６】
タッチパネル式のディスプレイ２５は、後述する図３に示すように、各種の情報を表示するための表示デバイスであると共に、各種の情報の入力を受け付けるための入力デバイスである。このタッチパネル式のディスプレイ２５は、図３のＤ１４に示す画面において、遊技者が玉貸操作（ここでは遊技者がディスプレイ２５に表示される玉貸ボタンを押圧操作すること）を行う際に操作する。
【００２７】
ここで、カードユニット２０が会員カード５を受け付けたときや、該会員カード５に記録された残度数を使用した玉貸処理が行われたときに、カードユニット２０と遊技場管理装置５０との間（即ちカードユニット２０の通信部２１と遊技場管理装置５０の場内通信部５１との間）で行われる情報の送受について説明する。まず、遊技者が遊技場１（例えば遊技場Ａ）において遊技を行おうとするときには、図３のＤ１１に示す画面がディスプレイ２５に表示されている。このＤ１１では、会員カード５の挿入を促す旨が表示される。
【００２８】
このＤ１１で、会員遊技者により会員遊技者が所有している会員カード５がカード挿入口２４ａから挿入されると、カードＲ／Ｗ２４により会員ＩＤ及び残度数が読み取られると共に、読み取った会員ＩＤと残度数をＲＡＭに記憶する。これら読み取った情報は通信部２１から遊技場管理装置５０の場内通信部５１に対して送信され、遊技場管理装置５０側で受信した情報（会員ＩＤ及び残度数）と、ハードディスク５４に記憶（管理）されている会員ＩＤ及び残度数（図示外）との照合が行われる。ここで照合ＯＫであるときには、該照合ＯＫである旨を示す情報が前記情報の送信元であるカードユニット２０に対して返信され、該照合ＯＫである旨を示す情報を受信したカードユニット２０においては、図３のＤ１２に示す画面がディスプレイ２５に表示される（なお、照合ＮＧであるときには、照合ＮＧである旨を遊技場管理装置５０から受信して会員カード５を排出する）。また遊技場管理装置５０においては、照合ＯＫであることに基づいて、該受信した会員ＩＤが、遊技情報ＤＢ（図４（ａ））に記録され、該会員ＩＤを受信したときの時刻が「遊技開始時刻」として、該会員ＩＤと対応付けて遊技情報ＤＢに記憶される。なおＤ１２では、ＲＡＭに記憶されている残度数（ここでは５０度），及び予め設定されている玉貸単位度数（ここでは５度）がディスプレイ２５に表示される。
【００２９】
このＤ１２に示す画面において、遊技者により「玉貸」ボタンが押圧操作されると、カードユニット２０とパチンコ機１０との間でパチンコ玉の貸与に関する信号のやり取りが行われて（詳しくは後述する）、玉貸単位度数分（ここでは５度数分）のパチンコ玉がパチンコ機１０の内部から払い出されて貸与され、該玉貸単位度数がディスプレイ２５に表示されている残度数（ＲＡＭに記憶されている残度数）から減算更新される（Ｄ１３）。なお、この残度数の減算更新に応じて、ＲＡＭに記憶している会員ＩＤと、使用度数（玉貸単位度数）が遊技場管理装置５０に対して送信され、これを受信した遊技場管理装置５０においては、受信した会員ＩＤと対応付けて遊技場管理装置５０で記憶（管理）している残度数から受信した使用度数が減算され、カードユニット２０側ではＲＡＭに記憶している減算更新後の残度数が、カードＲ／Ｗ２４によって会員カード５に記録される。このとき遊技場管理装置５０では、会員ＩＤと使用度数（玉貸単位度数）を受信したことに基づいて、遊技情報ＤＢ（図４（ａ））において、受信した会員ＩＤに対応する「消費金額」に受信した使用度数（例えば５度）に対応する金額（例えば５００円）を加算する。
【００３０】
次にＤ１２に戻り、このＤ１２で、遊技者により貨幣６が貨幣挿入口２３ａから挿入されて、貨幣識別機２３により該貨幣６の金額が識別されると、該貨幣６の金額に相当する残度数がディスプレイ２５に表示されている（ＲＡＭに記憶されている）残度数に加算更新されて、Ｄ１４に示す画面がディスプレイ２５に表示される。このＤ１４では、貨幣識別機２３により識別された貨幣６の金額である加算金額（ここでは１０００円），加算更新後の残度数（ここでは６０度），及び予め設定されている玉貸単位度数（ここでは５度）が表示される。そして所定時間（例えば５秒間）の経過後に、前記Ｄ１２に戻る（ただし残度数は６０度である）。なお、この残度数の加算更新に応じて、会員ＩＤと該加算更新後の残度数を示す情報が遊技場管理装置５０に送信され、これを受信した遊技場管理装置５０においては、受信した会員ＩＤと対応付けて遊技場管理装置５０で記憶（管理）している残度数が更新されると共に、カードユニット２０においては、ＲＡＭに記憶している加算更新後の残度数が、カードＲ／Ｗ２４によって会員カード５に記録される。
【００３１】
なお、ディスプレイ２５に表示される各画面において、会員遊技者により「返却」ボタンが押圧操作されると、カードＲ／Ｗ２４により受け付けられている会員カード５がカード挿入口２４ａから排出されて、Ｄ１１に戻る。このとき「返却」ボタンが押圧操作されたことによって、カードユニット２０から遊技場管理装置５０に対してＲＡＭに記憶している会員ＩＤが「返却」ボタンが押圧操作された旨（返却操作情報）と共に送信される。遊技場管理装置５０においては、会員ＩＤと返却操作情報を受信したことに基づいて、返却操作情報を受信したときの時刻が「遊技終了時刻」として、該受信した会員ＩＤと対応付けて図４（ａ）に示す遊技情報ＤＢに記憶されると共に、制御部５２により算出された遊技終了時刻と遊技開始時刻との差が「遊技時間」として記憶される。
【００３２】
次に、上記Ｄ１２において、遊技者により「玉貸」ボタンが押圧操作されたときに、カードユニット２０とパチンコ機１０との間で行われるパチンコ玉の貸与に関する信号のやり取りの詳細について説明する。
【００３３】
まずカードユニット２０は、ディスプレイ２５に表示された玉貸ボタン（図３を参照）の押圧操作を制御部２２により検出すると、１度数に相当するパチンコ玉数（例えば消費税を考慮しないのであれば２５個、消費税を考慮するのであれば消費税率に応じて２４個，２３個…等の、具体的な玉数であり、予め遊技場管理装置５０等により設定され、カードユニット２０に配信されている）である払出要求玉数のパチンコ玉の払出を要求する払出要求信号をパチンコ機１０の払出制御基板（図示外）に対して送信する。
【００３４】
該払出要求信号を受信したパチンコ機１０は、前記払出要求玉数のパチンコ玉の払出を指示する払出信号を払出制御基板から玉払出装置（図示外）に対して出力し、これに基づいて、玉払出装置から払出要求玉数分のパチンコ玉の払出を行い、該払出の終了に基づいて、実際に払い出したパチンコ玉の数である払出結果玉数を示す払出結果信号をカードユニット２０の制御部２２に対して送信する。
【００３５】
該払出結果信号を受信したカードユニット２０は、前記払出要求信号に示される払出要求玉数と、該払出結果信号に示される払出結果玉数とを照合し、照合ＯＫである場合には、会員カード５に記録された残度数からパチンコ玉の貸与に使用された１度数を減算すると共に、ディスプレイ２５に表示された残度数の表示を更新する。そしてカードユニット２０は、これら１度数分の玉貸処理を玉貸単位度数分だけ繰り返し、該玉貸設定度数分の玉貸処理の終了に基づいて、玉貸終了信号をパチンコ機１０の払出制御基板に対して送信し、玉貸処理を終了する。
【００３６】
なおパチンコ機１０において、玉払出装置から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板から発せられる払出信号に基づいて、賞球として玉払出装置からパチンコ玉が払い出されて、上皿又は下皿に供給される。
【００３７】
次に遊技場管理装置５０について図１及び図４を用いて説明する。遊技場管理装置５０は、図１に示すように接続される場内通信部５１，場外通信部５２，制御部５３，ハードディスク５４等を備えるものである。
【００３８】
場内通信部５１は、通信回線を介してカードユニット２０の通信部２１と通信可能に接続され、管理装置５０とカードユニット２０との間の通信を司るものである。場外通信部５２は、通信回線である専用線３を介して遊技場外のセンター管理装置６０の通信部６１と通信可能に接続され、遊技場管理装置５０とセンター管理装置６０との間の通信を司るものであり、ここでは遊技場１の閉店後に図４（ａ）に示す遊技情報ＤＢの管理情報をセンター管理装置６０に対して送信する。
【００３９】
制御部５３は、ＣＰＵ，ＲＡＭ，及びＲＯＭ等を備え、ハードディスク５４に記憶されている処理プログラムがＲＡＭを作業領域としてＣＰＵで実行されることにより、遊技場管理装置５０に設けられる各構成要素の動作を制御して各種の処理を行うものである。
【００４０】
記憶装置であるハードディスク５４は、図４（ａ）に示すように遊技情報ＤＢを記憶するものである。この遊技情報ＤＢは、遊技を行った会員遊技者を特定可能な「会員ＩＤ」と対応付けて、該会員遊技者が遊技を開始した時刻である「遊技開始時刻」，該会員遊技者が遊技を終了した時刻である「遊技終了時刻」，該会員遊技者が遊技を行った時間（遊技終了時刻と遊技開始時刻の差分）である「遊技時間」及び該会員遊技者が遊技に消費した金額である「消費金額」を管理するＤＢであり、これらの管理情報は、前述の如くカードユニット２０から送信されてくる情報に基づいて記憶・更新される。なお、ハードディスク５４では、図示しないが、会員ＩＤと対応付けて残度数が記憶（管理）されている。
【００４１】
次にセンター管理装置６０について図１及び図４〜図９を用いて説明する。このセンター管理装置６０は遊技用会員管理装置の一例であって、ここでは図１に示すように会員カード管理機構２に設けられ、図１に示すように接続される通信部６１，制御部６２，ハードディスク６３，入力装置６４，及びディスプレイ６５等を備えるものである。このセンター管理装置６０はＷｅｂサーバとしての機能を有しており、後述する情報端末７０からのアクセスに対してインターネットブラウザで表示可能な情報を提供（送信）するものである。
【００４２】
通信部６１は、通信回線である専用線３を介して各遊技場１（ここでは遊技場Ａ〜Ｄ）の遊技場管理装置５０の場外通信部５２と通信可能に接続され、センター管理装置６０と遊技場管理装置５０との間の通信を司るものであると共に、通信回線を含むインターネット４を介して後述する情報端末７０の通信部７１と通信接続可能であり、センター管理装置６０と情報端末７０との間の通信を司るものである。
【００４３】
この通信部６１は受信手段の一例であって、会員遊技者が遊技場に来店したことを特定するための来店情報、前記会員遊技者が遊技に消費した金額を特定するための消費金額情報、又は前記会員遊技者が遊技を行った時間を特定するための遊技時間情報のうちの少なくとも一以上の情報と、当該会員遊技者を特定可能な会員遊技者特定情報（会員ＩＤ）と、を含む遊技関連情報を受信するものである。具体的には、各遊技場（ここではＡ〜Ｄ）の遊技場管理装置５０において、ハードディスク５４に記憶された遊技情報ＤＢの管理情報（図４（ａ））が場外通信部５２からセンター管理装置６０に対して送信され、受信手段である通信部６１がこれを受信する。ここで前記来店情報は、遊技情報ＤＢにおける「会員ＩＤ」であり、これによって該会員ＩＤの会員遊技者が来店したことを特定できる。また消費金額情報は、遊技情報ＤＢにおける「消費金額」であり、これによって前記会員ＩＤの会員遊技者が遊技に消費した金額を特定できる。さらに遊技時間情報は、遊技情報ＤＢにおける「遊技時間」であり、これによって前記会員ＩＤの会員遊技者が遊技を行った時間を特定することができる。
【００４４】
また通信部６１は集計情報要求受信手段の一例であって、後述する情報端末７０から、遊技場特定情報（ユーザＩＤ，パスワード）と、集計手段（制御部６２）により集計された集計情報の送信を要求する旨を示す情報と、を含む集計情報要求を受信するものである。
【００４５】
さらに通信部６１は集計情報送信手段の一例であって、集計情報要求受信手段（通信部６１）により集計情報要求を受信したことに基づいて、後述する集計手段（制御部６２）により集計された集計情報のうち、該受信した集計情報要求に含まれる遊技場特定情報（ユーザＩＤ，パスワード）から特定される遊技場についての集計情報を、前記集計情報要求の送信元である情報端末７０に対して送信するものである。
【００４６】
次に入力装置６４は、各種の情報の入力を受け付けるための入力デバイスであり、例えばキーボードやマウス等である。またディスプレイ６５は、各種の情報を表示するための表示デバイスであり、例えば液晶表示器である。この入力装置６４及びディスプレイ６５は後述する会員情報ＤＢに情報を登録する際に使用するものである。また入力装置６４及びディスプレイ６５は、後述する集計手段（制御部６２）により集計を行う際の単位期間（所定期間）を設定する際に使用する。この所定期間の設定は、図５のＤ２１に示すディスプレイ６５に表示される集計期間設定画面によって行う。この集計期間設定画面において、遊技場１（ここでは遊技場Ａ）が希望する所定期間をプルダウンメニューの中から選択し（ここでは１ヶ月）、選択後に「設定」ボタンにマウスのカーソルを合わせてクリックすることにより、選択された期間が所定期間として設定される。なお、この所定期間の選択はセンター管理装置６０側で行わなくても良く、各遊技場１の遊技場管理装置５０において選択された期間がセンター管理装置６０に送信されて、所定期間として設定されても良い。
【００４７】
記憶装置であるハードディスク６３は図４（ｂ）及び図６〜図９に示す各ＤＢを記憶するものである。このハードディスク６３は遊技関連情報記憶手段の一例であって、受信手段（通信部６１）により受信した遊技関連情報（遊技情報ＤＢの管理情報）に基づいて、来店情報と、消費金額情報と、遊技時間情報とを、会員遊技者特定情報（会員ＩＤ）と対応付けて記憶するものであり、ここでは図４（ｂ）に示す遊技情報ＤＢを記憶している。この遊技情報ＤＢは、前記受信手段である通信部６１により各遊技場１（Ａ〜Ｄ）の遊技場管理装置５０から受信した遊技情報ＤＢの管理情報を各遊技場１（Ａ〜Ｄ）毎に区別して管理している。なお、ここでは２００３年９月３０日のデータのみを示しているが、ここでは２００３年９月１日以降のデータも同様に管理されている。
【００４８】
またハードディスク６３は地域情報記憶手段の一例であって、会員登録を行った会員遊技者を特定可能な会員遊技者特定情報（会員ＩＤ）と対応付けて該会員遊技者が属する地域を特定可能な地域情報（地域ＩＤ）を記憶するものである。また、地域情報記憶手段であるハードディスク６３は、記憶している会員遊技者特定情報（会員ＩＤ）と対応付けて各会員遊技者が会員登録を行った遊技場を特定可能な遊技場特定情報（遊技場ＩＤ）を記憶する。具体的には、図６（ａ）に示すように、ハードディスク６３が会員情報ＤＢを記憶しており、該会員情報ＤＢが各会員遊技者を特定可能な「会員ＩＤ」と対応付けて、各会員遊技者の「住所」，各会員遊技者が属する地域を特定可能な「地域ＩＤ」，各会員遊技者が会員登録を行った遊技場を特定可能な「遊技場ＩＤ」を管理している。なお、この会員情報ＤＢへの登録は次のようにして行われる。まず各遊技場１（Ａ〜Ｄ）において新規に会員登録が行われた際に、会員となった遊技者の「会員ＩＤ」と「住所」が会員カード管理機構２に送られる。会員カード管理機構２においては、送られてきた「会員ＩＤ」と「住所」に加え、「住所」に対応した地域の地域ＩＤ（ここではＯＯ〜ＳＳのいずれか）及び会員登録が行われた遊技場（即ち「会員ＩＤ」及び「住所」の送り元である遊技場）を特定可能な遊技場ＩＤを入力装置６４等によって会員情報ＤＢに登録する。
【００４９】
またハードディスク６３は図６（ｂ）に示す遊技場ＤＢを記憶している。この遊技場ＤＢには、会員カード管理機構２が提供する集計情報の提供サービスの対象となる遊技場１の情報が登録されている。ここでは各遊技場１の情報として、各遊技場の名称である「遊技場名」，各遊技場の「住所」，後述する集計情報を閲覧する為に各遊技場に発行された「ユーザＩＤ」と「パスワード」，及び各遊技場を特定可能な遊技場ＩＤ（本例では各遊技場の名称と同一のものである）が管理される。
【００５０】
またハードディスク６３は図７に示す日別集計ＤＢを記憶している。この日別集計ＤＢは、各遊技場１（Ａ〜Ｄ）毎に区別して、さらに各地域（ＯＯ〜ＳＳ）毎に区別して、各営業日毎（ここでは２００３年９月１日〜３０日）の、「来店人数」，「消費金額」，及び「遊技時間」を管理している。ここで「来店人数」は、各営業日に会員遊技者が遊技場に来店した延べ人数であり、「消費金額」は、各営業日に会員遊技者が遊技に消費した消費金額であり、「遊技時間」は、各営業日に会員遊技者が遊技を行った遊技時間である。この日別集計ＤＢは、図４（ｂ）に示した遊技情報ＤＢと図６（ａ）に示した会員情報ＤＢに基づいて作成可能であり、詳しくは集計手段の説明として後述する。なお、ここでは遊技場Ａのデータのみを示しているが、遊技場Ｂ〜Ｄのデータについても同様に管理されている。また、ここでは２００３年９月１日〜３０日のデータのみを示しているが、２００３年１月１日以降のデータも同様に管理されている。
【００５１】
またハードディスク６３は図６に示す月別集計ＤＢを記憶している。この月別集計ＤＢは、各遊技場１（Ａ〜Ｄ）毎に区別して、各地域（ＯＯ〜ＳＳ）毎の「総会員数」，「新規会員数」，「延べ来店人数」，「実来店人数」，「来店比率」，「消費金額」，及び「遊技時間」を管理している。ここで「総会員数」は、会員遊技者の数であり、「新規会員数」は所定期間（ここでは１ヶ月）において新規に会員登録を行った会員遊技者数であり、「延べ来店人数」は所定期間（ここでは１ヶ月）における会員遊技者の延べ来店人数であり、「実来店人数」は所定期間（ここでは１ヶ月）における会員遊技者の実来店人数（１人の会員遊技者が１ヶ月に２回以上来店した場合にも１人として計算）であり、「来店比率」は１００×「実来店人数」／「総会員数」によって算出される比率であり、「消費金額」は所定期間（ここでは１ヶ月）において会員遊技者が遊技に消費した消費金額であり、「遊技時間」は所定期間（ここでは１ヶ月）において会員遊技者が遊技を行った遊技時間である。
【００５２】
この月別集計ＤＢが管理する情報のうち、「延べ来店人数」，「消費金額」，及び「遊技時間」は、図７に示す日別集計ＤＢに基づいて集計され、「実来店人数」は、図４（ｂ）に示した遊技情報ＤＢに基づいて集計される。また「総会員数」は、図６（ａ）に示した会員情報ＤＢに基づいて集計される。これらの集計については集計手段の説明として後述する。なお、ここでは２００３年９月のデータのみを示しているが、２００３年１月以降のデータが同様に管理されているものとする。ここでハードディスク６３は新規会員数記憶手段の一例であって、後述する地域別新規会員数集計手段（制御部６２）により集計された新規会員数を所定期間毎に記憶するものであり、ここでは上記月別集計ＤＢによって「新規会員数」を管理している。
【００５３】
またハードディスク６３は図９に示す宣伝情報ＤＢを記憶している。この宣伝情報ＤＢは、各遊技場１（Ａ〜Ｄ）毎に区別して、「宣伝ＩＤ」，「宣伝内容」，「宣伝期間」，及び「宣伝地域」を管理している。ここで「宣伝ＩＤ」は各宣伝を特定するためのＩＤであり、「宣伝内容」は宣伝の具体的な内容であり、「宣伝日程」宣伝が行われる期間（日程）であり、「宣伝地域」は宣伝を行う地域である。ここでハードディスク６３は宣伝期間記憶手段の一例であって、遊技場についての宣伝が行われた宣伝期間を各地域毎に記憶するものであり、ここでは宣伝情報ＤＢによって「宣伝期間」が管理されている。なお、この宣伝情報ＤＢは「宣伝期間」が２００３年１月１日以降のものについて管理している。なお、この宣伝情報ＤＢへの登録は次のようにして行われる。まず各遊技場１（Ａ〜Ｄ）からは「宣伝内容」，「宣伝期間」，及び「宣伝地域」が会員カード管理機構２に送られる。会員カード管理機構２においては、送られてきた「宣伝内容」，「宣伝期間」，及び「宣伝地域」に加え、発行した「宣伝ＩＤ」を入力装置６４等によって宣伝情報ＤＢに登録する。
【００５４】
制御部６２は、ＣＰＵ，ＲＡＭ，及びＲＯＭ等を備え、ハードディスク６３に記憶されている処理プログラムがＲＡＭを作業領域としてＣＰＵで実行されることにより、センター管理装置６０に設けられる各構成要素の動作を制御して各種の処理を行うものである。
【００５５】
この制御部６２は集計手段の一例であって、遊技関連情報記憶手段（ハードディスク６３）に会員遊技者特定情報（会員ＩＤ）と対応付けて記憶された情報及び地域情報記憶手段（ハードディスク６３）に会員遊技者特定情報（会員ＩＤ）と対応付けて記憶された地域情報（地域ＩＤ）に基づいて、所定期間（１ヶ月）において会員遊技者が遊技場に来店した来店人数と、該所定期間において会員遊技者が遊技に消費した消費金額と、該所定期間において会員遊技者が遊技を行った遊技時間とを、前記地域情報から特定される各地域（ＯＯ〜ＳＳ）毎に集計するものである。
【００５６】
また集計手段として機能する制御部６２は地域情報記憶手段（ハードディスク６３）に会員遊技者特定情報（会員ＩＤ）と対応付けて記憶された地域情報（地域ＩＤ）及び遊技場特定情報（遊技場ＩＤ）、並びに遊技関連情報記憶手段（ハードディスク６３）に会員遊技者特定情報（会員ＩＤ）と対応付けて記憶された情報に基づいて、遊技場特定情報から特定される各遊技場１（Ａ〜Ｄ）について、来店人数と、消費金額と、遊技時間とを、前記地域情報から特定される各地域（ＯＯ〜ＳＳ）毎に集計するものである。ここでは図４（ｂ）に示す遊技情報ＤＢの会員ＩＤに対応する地域ＩＤを、図６（ａ）に示す会員情報ＤＢを参照することによって特定することができるため、各地域ＩＤから特定される各地域毎（ＯＯ〜ＳＳ）に図７に示す日別集計ＤＢを作成することが可能であり、即ち営業日毎の来店人数と、消費金額と、遊技時間とを各地域毎に集計可能である。
【００５７】
さらに所定期間（ここでは１ヶ月）の合計を算出することによって、所定期間（ここでは１ヶ月）における来店人数と、消費金額と、遊技時間とを各地域毎に集計することができる（図８の月別集計ＤＢ）。
【００５８】
また集計手段として機能する制御部６２は、前記「実来店人数」を集計するものであり、日別集計ＤＢ及び会員情報ＤＢを参照して、１人の会員遊技者が１ヶ月に２回以上来店した場合にも１人として計算することによって各地域毎の実来店人数を集計する。
【００５９】
また集計手段として機能する制御部６２は、宣伝期間記憶手段（ハードディスク６３）に各地域毎に記憶された宣伝期間に基づいて、少なくとも該宣伝期間前及び該宣伝期間後において前記来店人数を集計するものである。
【００６０】
また制御部６２は地域別会員数集計手段の一例であって、地域情報記憶手段（ハードディスク６３）に会員遊技者特定情報（会員ＩＤ）と対応付けて記憶された地域情報（地域ＩＤ）に基づいて、各遊技場について地域情報から特定される各地域（Ａ〜Ｄ）毎に該各地域に属する会員遊技者数を集計するものであり、ここでは図６（ａ）に示す会員情報ＤＢにより管理される情報（会員ＩＤ及び地域ＩＤ）に基づいて、各地域に属する会員遊技者数を各遊技場毎に集計する。この集計結果は図８に示す月別集計ＤＢにより「総会員数」として管理される。
【００６１】
また制御部６２は来店比率算出手段の一例であって、地域別会員数集計手段（）により集計された各地域毎の会員遊技者数と、集計手段（制御部６２）により集計された各地域毎の実来店人数との比率である来店比率を算出するものであり、この算出結果は図８に示す月別集計ＤＢにより「来店比率」として管理される。
【００６２】
また制御部６２は会員分布地図作成手段の一例であって、地域別会員数集計手段（制御部６２）により集計した各地域毎の会員遊技者数の分布状況を、遊技場の所在地及び周辺を含む地図上における各地域と対応付けて示すための会員分布地図を作成するものであり、後述する図１１（ｂ）に示す会員分布地図を作成する。
【００６３】
また制御部６２は地域別新規会員数集計手段の一例であって、地域情報記憶手段（ハードディスク６３）に会員遊技者特定情報（会員ＩＤ）と対応付けて記憶された地域情報（地域ＩＤ）に基づいて、所定期間（ここでは１ヶ月）において各遊技場で新規に会員登録を行った会員遊技者数を各地域毎に集計するものであり、前述したように新規の会員登録が会員カード管理機構２において行われ、会員情報ＤＢに新規会員の情報が登録される毎に、各遊技場，各地域毎の所定期間の新規会員遊技者数を集計する。この集計結果は図８に示す月別集計ＤＢにより「新規会員数」として管理される。
【００６４】
さらに制御部６２は新規会員数推移情報作成手段の一例であって、新規会員数記憶手段（ハードディスク６３）に所定期間毎に記憶された新規会員数の推移を示す推移情報を作成するものであり、月別集計ＤＢにより管理される「新規会員数」に基づいて、後述する図１２に示す新規会員数の推移を示すグラフを作成する。
【００６５】
ここで上記説明した通信部６１及び制御部６２は、出力処理手段の一例であっって、集計手段（制御部６２）により集計した集計情報を出力するための処理を行うものであり、ここでは集計情報をインターネット４を介して情報端末７０にに対して送信する。情報端末７０においては、図１１（ａ）に示すように、ディスプレイ７３に受信した集計情報が表示される（出力される）。
【００６６】
この出力処理手段として機能する通信部６１及び制御部６２は、会員分布地図作成手段（制御部６２）により作成した会員分布地図を出力するための処理を行うものであり、ここでは会員分布地図をインターネット４を介して情報端末７０に対して送信する。情報端末７０においては、図１１（ｂ）に示すように、ディスプレイ７３に受信した会員分布地図が表示される（出力される）。
【００６７】
また出力処理手段として機能する通信部６１及び制御部６２は、来店比率算出手段（制御部６２）により算出した来店比率を出力するための処理を行うものであり、ここでは「来店比率」を含む月別集計ＤＢの管理情報をインターネット４を介して情報端末７０に対して送信する。情報端末７０においては、図１１（ａ）に示すように、ディスプレイ７３に受信した月別集計ＤＢの管理情報が表示される（出力される）。
【００６８】
また出力処理手段として機能する通信部６１及び制御部６２は、新規会員数推移情報作成手段（制御部６２）により作成された推移情報（図１２を参照）を出力するための処理を行うものであり、ここでは推移情報をインターネット４を介して情報端末７０に対して送信する。情報端末７０においては、図１２に示すように、ディスプレイ７３に受信した推移情報が表示される（出力される）。
【００６９】
さらに出力処理手段として機能する通信部６１及び制御部６２は、集計手段（制御部６２）により集計した宣伝期間前の来店人数と宣伝期間後の来店人数の変化を特定可能に出力するための処理を行うものであり、ここでは宣伝期間前及び宣伝期間後を含む期間の来店人数の推移をグラフにした来店人数推移グラフ（図１３を参照）をインターネット４を介して情報端末７０に対して送信する。情報端末７０においては、図１３に示すように、ディスプレイ７３に受信した来店人数推移グラフが表示される（出力される）。
【００７０】
次に情報端末７０について図１を用いて説明する。この情報端末７０は通信回線（インターネット４）を介してセンター管理装置６０に接続可能なものであり、ここではインターネットブラウザがインストールされているＰＣである。
【００７１】
通信部７１は、インターネット４を介してセンター管理装置６０と通信可能に接続され、センター管理装置６０と情報端末との間の通信を司るものである。記憶装置であるハードディスク７３はＷｅｂサーバ（ここではセンター管理装置６０）から送信されてきた（即ちダウンロードした）データを記憶するものである。
【００７２】
制御部７２は、ＣＰＵ，ＲＡＭ，及びＲＯＭ等を備え、ハードディスク７３に記憶されている処理プログラムがＲＡＭを作業領域としてＣＰＵで実行されることにより、情報端末７０に設けられる各構成要素の動作を制御して各種の処理を行うものである。入力装置７４は、各種の情報の入力を受け付けるための入力デバイスであり、例えばキーボードやマウス等である。またディスプレイ７５は、各種の情報を表示するための表示デバイスであり、例えば液晶表示器である。これら入力装置７４及びディスプレイ７５によって、例えば図１０〜図１３に示すようにディスプレイ７５に表示された各種の情報に対して、入力装置７４により所定の入力操作（アドレスの入力や選択操作）を行うものである。
【００７３】
以上に説明したセンター管理装置６０，及び情報端末７０の作用について説明する。
【００７４】
前述したように、遊技場１の閉店後に、各遊技場１（Ａ〜Ｄ）の遊技場管理装置５０から図４（ａ）に示す遊技情報ＤＢ（遊技場管理装置５０側）の管理情報を受信したセンター管理装置６０は、図４（ｂ）に示すように、遊技情報ＤＢ（センター管理装置６０側）によって各遊技場毎に区別して受信した情報を管理する。集計手段である制御部６２は前述したように「総会員数」，「新規会員数」を集計し、図７に示す日別集計ＤＢの管理情報に基づいて「延べ来店人数」，「消費金額」，及び「遊技時間」を集計し、図４（ｂ）に示す遊技情報ＤＢに基づいて「実来店人数」を集計し、「来店比率」を算出する。これら集計・算出結果は図８の月別集計ＤＢにより管理される。
【００７５】
さらに制御部６２は、前述したように、図１１（ｂ）に示す会員分布地図を作成すると共に、図１２に示す新規会員数の推移を示すグラフ（新規会員数推移グラフ）を作成する。また、宣伝期間記憶手段（ハードディスク６３）に各地域毎に記憶された「宣伝期間」（宣伝情報ＤＢにより管理されている「宣伝期間」）と、前記日別集計ＤＢにより管理されている「来店人数」に基づいて、図１３に示すような宣伝期間前及び該宣伝期間後の来店人数の推移を把握できるグラフ（来店人数推移グラフ）を作成する。また、ここでは宣伝情報ＤＢの「宣伝内容」についても「宣伝期間」と共に、グラフに記入される。
【００７６】
上述したようにして制御部６２により作成された日別集計ＤＢ，月別集計ＤＢ，会員分布地図，新規会員数推移グラフ，及び来店人数推移グラフはインターネットブラウザで表示可能な形式（例えばｈｔｍｌ形式）でハードディスク６３に記憶されており、インターネット４を介して情報端末７０からアクセス可能（閲覧可能）な状態となっている。以下、情報端末７０でこれらの情報を閲覧する際の作用について図１０〜図１３を用いて説明する。
【００７７】
まず、情報端末７０のディスプレイ７５に表示されたインターネットブラウザに所定のアドレス（センター管理装置６０が提供する遊技場向けデータ提供ホームーページのアドレス）を入力すると、図１０のＤ３１に示すユーザＩＤとパスワードの入力を促す画面が表示される。ここで情報端末７０のユーザ（例えば遊技場Ａの関係者）が予め会員カード管理機構２から知らされているユーザＩＤとパスワード（遊技場Ａ向けに発行され遊技場ＤＢに記憶されているもの）を入力して、「ＯＫ」ボタンにカーソルを合わせてマウスボタンをクリックすることで、前記集計情報の送信を要求する旨と、該ユーザＩＤ（即ち遊技場Ａを特定可能な遊技場特定情報）と、パスワード（即ち遊技場Ａを特定可能な遊技場特定情報）と、を含む集計情報要求がインターネット４を介してセンター管理装置６０に対して送信され、センター管理装置６０において、図６（ｂ）に示す遊技場ＤＢに記憶されているユーザＩＤ及びパスワードとの照合が行われる。
【００７８】
ここで照合ＯＫである場合には、ハードディスク６３が記憶する集計情報のうち、遊技場Ａについての日別集計ＤＢ，月別集計ＤＢ，会員分布地図，新規会員数推移グラフ，及び来店人数推移グラフを情報端末７０に対して送信する（即ち情報端末７０は前記集計情報をダウンロードして閲覧できる）。情報端末７０においては、受信したこれらの集計情報がＲＡＭ（又はハードディスク７３でも良い）に記憶され、ディスプレイ７５にはＤ３２に示す遊技場Ａ向けのメニューが表示され、日別集計ＤＢ，月別集計ＤＢ，会員分布地図，新規会員数推移グラフ，及び来店人数推移グラフが閲覧可能な項目として示される。
【００７９】
このＤ３２のメニュー画面において、日別集計ＤＢを選択（マウスのポインタを合わせてクリック）することによって、ＲＡＭにダウンロードされた日別集計ＤＢの管理情報が表形式でディスプレイ７５に表示される（Ｄ３３）。これによって、遊技場Ａの関係者は営業日毎の来店人数，消費金額，遊技時間を把握することができる。ここでＤ３３は、ＯＯ地域の９月の日別集計ＤＢの管理情報が表示されている例であるが、ディスプレイ７５下部に表示された各地域を選択（マウスのカーソルを合わせてクリックする）ことによって、選択された地域の日別集計ＤＢの管理情報が表示される。また、表の上に表示してある「前月」を選択することによって過去（ここでは２００３年８月以前）の日別集計ＤＢの管理情報を表示可能である。また、過去（ここでは２００３年８月以前）の日別集計ＤＢの管理情報が表示されている状態で、「次月」を選択することによって、表示されている月の次月の日別集計ＤＢの管理情報が表示される。さらにディスプレイ右側の「グラフ」の表示を選択することで、横軸が営業日の各グラフ（縦軸が、「来店人数」，「消費金額」，及び「遊技時間」の３種類）が表示される。
【００８０】
またＤ３２のメニュー画面において、月別集計ＤＢを選択（マウスのポインタを合わせてクリック）することによって、ＲＡＭにダウンロードされた月別集計ＤＢの管理情報が表形式でディスプレイ７５に表示される（図１１のＤ３４）。これによって、遊技場Ａの関係者は各地域（ＯＯ〜ＳＳ）毎の会員遊技者の来店人数，消費金額，及び遊技時間を把握して、集客や売上増加等のための宣伝活動を行う上で、各地域毎の情報に基づいて各地域に対して効率の良い宣伝活動（例えば来店人数の少ないＳＳ地域に広告の数を増やす等）を行うことができる。また、各地域毎の会員遊技者数と各地域毎の実来店人数との比率である来店比率を把握して、来店比率に応じた宣伝活動の内容（例えば来店比率が低いＳＳ地域で宣伝カーによる宣伝活動を行う等）を検討することができる。なお、図１１のＤ３４に示す例では、９月の月別集計ＤＢが表示されているが、ディスプレイ７５の下部に表示された各月（１〜９月）にカーソルを合わせてクリックすることで選択された月についての月別集計ＤＢをディスプレイ７５に表示することが可能である。
【００８１】
なお、ディスプレイ右側の「グラフ」の表示を選択することで、横軸が月（ここでは１月〜９月）の各グラフ（縦軸が、「総会員数」，「新規会員数」，「延べ来店人数」，「実来店人数」，「来店比率」，「消費金額」，及び「遊技時間」の７種類）が表示される。
【００８２】
またＤ３２のメニュー画面において、会員分布地図を選択（マウスのポインタを合わせてクリック）することによって、ハードディスク７３にダウンロードされた会員分布地図がディスプレイ７５に表示される（図１１のＤ３５）。この会員分布地図では、遊技場Ａの所在地であるＱＱ地域，及びその周辺であるＯＯ地域，ＰＰ地域，ＲＲ地域，ＳＳ地域を含む地図上において、各地域に属する会員遊技者数が棒グラフ状に表示され、棒グラフ中には会員遊技者数が表示されている。また、各地域は会員遊技者の数に応じて色分けされており（例えば、３００人未満が青，３００〜４９９人が黄，５００人〜６９９人が燈，７００人以上が赤）、一見して会員遊技者の分布を把握することが可能である。これによって、遊技場Ａの関係者は会員遊技者の分布状況を一見して把握して、各地域毎に会員遊技者数に応じた宣伝活動（例えば会員遊技者の少ないＳＳ地域に対して新規会員登録の特典情報を掲載したチラシを配布する等）を行うことができる。なお、Ｄ３５に示す会員分布地図上では遊技場（ここでは遊技場Ａ）の位置が黒丸で表されている。
【００８３】
なお、ここでは色分けによって会員遊技者の分布を把握可能としているが、色分けに限らず記号によって分布を把握可能としても良い。また、各地域に会員遊技者数のみを表示してもよく、棒グラフのみ、あるいは色分けのみでも良い。即ち会員遊技者の分布が把握可能な態様で表示されるものであれば良い。また、各遊技場１の総会員遊技者数に対しての各地域の会員遊技者数の比率（例えば遊技場Ａの総会員遊技者数が２２６４人で、遊技場ＡのＯＯ地域の会員遊技者数が４０６人のときは、ＯＯ地域の比率は１８％等）を表示しても良い。
【００８４】
またＤ３２のメニュー画面において、新規会員数推移グラフを選択（マウスのポインタを合わせてクリック）することによって、ハードディスク７３にダウンロードされた新規会員数推移グラフがディスプレイ７５に表示される（図１２）。これによって、遊技場Ａの関係者は所定期間（１ヶ月）において新規に会員登録を行った会員遊技者数の推移を各地域毎に把握して、推移情報に応じた宣伝活動の内容（例えば新規会員数が減少傾向にある地域に対して会員登録を促す宣伝活動を行う等）を検討することができる。なお、図１２に示す例ではＯＯ地域についての新規会員数推移グラフを表示しているが、ディスプレイ７５下部に表示された各地域（ＯＯ地域〜ＳＳ地域）にカーソルを合わせてクリックすることで選択された地域についての新規会員数推移グラフをディスプレイ７５に表示することが可能である。また、ＯＯ地域〜ＳＳ地域のそれぞれの新規会員数の推移を対比可能に表示しても良い。
【００８５】
またＤ３２のメニュー画面において、来店人数推移グラフを選択（マウスのポインタを合わせてクリック）することによって、ハードディスク７３にダウンロードされた来店人数推移グラフがディスプレイ７５に表示される（図１３のＤ３７）。これによって、遊技場Ａの関係者は宣伝期間前後の来店人数の変化を把握して、宣伝活動を行ったことにより得られる効果（例えば、ＯＯ地域において、２５〜２６日にＸＸ商店街入り口で行った出玉祭りの告知が最も集客効果が高いこと等）を確認することができると共に、今後の宣伝活動の内容を検討する上での参考にする（例えば、ＯＯ地域において、月末近くに人通りの多い場所でイベント告知を行うことによって集客を期待できること等）ことができる。
【００８６】
ここでＤ３７は、ＯＯ地域の９月の来店人数推移グラフが表示されている例であるが、ディスプレイ７５下部に表示された各地域を選択（マウスのカーソルを合わせてクリックする）ことによって、選択された地域の来店人数推移グラフが表示される。また、ディスプレイ７５の右側上部に表示してある「前月」を選択することによって過去（ここでは２００３年８月以前）の来店人数推移グラフを表示可能である。また、過去（ここでは２００３年８月以前）の来店人数推移グラフが表示されている状態で、「次月」を選択することによって、表示されている月の次月の来店人数推移グラフが表示される。また、ＯＯ地域〜ＳＳ地域のそれぞれの来店人数の推移を対比可能に表示しても良い。
【００８７】
以上説明したように、本発明の遊技用会員管理装置（センター管理装置６０）によれば、情報端末７０によって会員遊技者が属する各地域毎の情報（日別集計ＤＢ，月別集計ＤＢ，会員分布地図，新規会員数推移グラフ，及び来店人数推移グラフ）を確認することができるので、遊技場側の利便性が向上する。また、各遊技場はインターネットブラウザがインストールされた情報端末７０によって上記情報を閲覧することができる。即ち、各地域毎の情報を集計するための装置を設ける必要が無く、集計用のソフトウェアも必要ないため、各地域毎の情報を集計するために必要な出費を省くことができると共に、集計用のソフトウェアの変更に伴う出費や更新作業の手間も省くことができる。
【００８８】
最後に、本発明に係る遊技用システム１の変形例について説明する。
【００８９】
上記の実施形態では、遊技機が、パチンコ玉が外部に払い出される通常のパチンコ機１０である例について説明したが、これに限らず、該遊技機は、例えばパチンコ玉が指触不能に封入された封入式のパチンコ機，メダルやパチンコ玉が外部に払い出されるスロットマシンやパチロット，メダルが外部に払い出されることなく遊技可能なクレジット式のスロットマシン等であっても良く、さらにはパチンコ玉やメダル等を用いずにデータ等により遊技可能な遊技機，遊技盤やパチンコ玉が画像にて表示される画像式のパチンコ機，リールが画像にて表示される画像式のスロットマシン等であっても良く、その種類や形態は特に限定されない。
【００９０】
上記の実施形態では、カードユニット２０が、パチンコ機１０との間でパチンコ玉の貸与に関する信号のやり取りを行うことにより遊技媒体の貸与を行うＣＲユニットである例について説明したが、これに限らず、該カードユニットは、自ら玉払出装置を備えて遊技媒体の貸与を行うものでも良い。また上記の実施形態では、カードユニット２０が、遊技媒体としてパチンコ玉を貸与するためのプリペイド玉貸を行うものである例について説明したが、これに限らず、該カードユニットは、遊技媒体としてメダルを貸与するためのメダル貸与処理を行うものでも良く、また遊技機が前記封入式のパチンコ機や前記クレジット式のスロットマシンである場合には、それら遊技機での遊技に使用される遊技媒体である得点・持点を加算する処理を行うものでも良い。
【００９１】
上記の実施形態では、カードユニット２０において玉貸処理が行われるときに、１度数に相当するパチンコ玉数（例えば消費税を考慮しないのであれば２５個、消費税を考慮するのであれば消費税率に応じて２４個，２３個…等の、具体的な玉数）である払出要求玉数のパチンコ玉の払出を要求する払出要求信号がパチンコ機１０に対して送信される例について説明したが、該玉貸処理は、例えば以下の変形例１又は変形例２に示す如く行われるようにしても良い。
【００９２】
まず変形例１として、パチンコ機１０において、カードユニット２０からの１回の払出要求に応じて払い出すパチンコ玉の数（以下「単位払出数」という。）を設定変更可能に構成すると共に、カードユニット２０において、該設定された単位払出数を予め記憶可能に構成した場合には、以下のようにして玉貸処理を行う。まずカードユニット２０は、「玉貸」ボタンの押圧操作を制御部２２により検出すると、パチンコ玉の払出を要求する払出要求信号（具体的な払出要求玉数は示さない信号）を払出制御基板に対して送信する。該払出要求信号を受信したパチンコ機１０は、前記単位払出数のパチンコ玉の払出を指示する払出信号を払出制御基板から玉払出装置に対して出力し、これに基づいて、玉払出装置から単位払出数分のパチンコ玉の払出を行い、該払出の終了に基づいて、実際に払い出したパチンコ玉の数である払出結果玉数を示す払出結果信号を制御部２２に対して送信する。該払出結果信号を受信したカードユニット２０は、前記予め記憶している単位払出数と、該払出結果信号に示される払出結果玉数とを照合し、照合ＯＫである場合には、前記１度数分の減算処理を行い、その後、前記玉貸設定度数分の玉貸処理を行う。
【００９３】
ここで払出結果玉数を示す払出結果信号は、パチンコ機１０の払出制御基板から出力されるようにしても良いし、払い出されたパチンコ玉の数を検出する図示しない払出検出センサから出力されるようにしても良い。またカードユニット２０において予め記憶しておく単位払出数は、カード会社の管理装置や、遊技場管理装置５０で設定し、カードユニット２０に配信して記憶するようにすれば良い。そして、例えば前記単位払出数と払出結果玉数との照合ＮＧの場合に、カードユニット２０を不能動化するように構成すれば、遊技場１が実際の申告よりも小さい単位払出数をパチンコ機１０において設定するような不正を防止できる。
【００９４】
また変形例２として、前記単位払出数が一定（例えば２５個）である場合には、以下のようにして玉貸処理を行う。まずカードユニット２０は、「玉貸」ボタンの押圧操作を制御部２２により検出すると、パチンコ玉の払出を要求する払出要求信号（具体的な払出要求玉数は示さない信号）を払出制御基板に対して送信する。該払出要求信号を受信したパチンコ機１０は、玉払出装置からパチンコ玉の払出が可能であるか否かを確認し、該確認結果が可能である場合には、玉貸準備信号を制御部２２に対して送信する。該玉貸準備信号を検出したカードユニット２０は、玉貸指令信号を払出制御基板に対して送信し、該玉貸指令信号を受信したパチンコ機１０は、前記単位払出数のパチンコ玉の払出を指示する払出信号を払出制御基板から玉払出装置に対して出力し、これに基づいて、玉払出装置から単位払出数分のパチンコ玉の払出を行い、該払出の終了に基づいて、１度数分の玉貸処理の完了を示す玉貸完了信号を制御部２２に対して送信する。該払出結果信号を受信したカードユニット２０は、前記１度数分の減算処理を行い、その後、前記玉貸設定度数分の玉貸処理を行う。
【００９５】
上記の実施形態では、情報端末７０がインターネットブラウザがインストールされたＰＣである例について説明したが、これに限らず、ＰＤＡ型の専用端末や、携帯電話であっても良く通信回線を介してセンター管理装置６０が提供する情報を閲覧可能なものであれば良い。また、センター管理装置６０が提供する集計情報の形式はｈｔｍｌ形式に限らず、例えば、集計情報をＥメールで情報端末７０に対して送信しても良い。即ち集計情報は情報端末７０側で閲覧可能な形式であれば良い。
【００９６】
上記の実施形態では、遊技場管理装置５０がセンター管理装置６０と専用線３を介して通信可能に接続されている例について説明したが、これに限らず、例えば、公衆網を介して通信可能に接続されていても良い。
【００９７】
上記の実施形態では、会員遊技者が来店したことを特定可能な来店情報が、カードユニット２０で受け付けられた会員カード５から読み取った会員ＩＤである例について説明したが、これに限らず、来店情報は、例えば遊技場の入り口に設けられた入口ゲートに備えられたカードリーダが、該入口ゲートを通過した会員遊技者が所有する会員カード５から読み取った会員ＩＤであっても良い。また、会員特典を提供するために景品カウンタに設けたカードリーダにより会員カード５から読み取った会員ＩＤであっても良い。
【００９８】
上記の実施形態では、遊技時間情報が、会員カード５が挿入された時刻（センター管理装置６０が会員ＩＤ及び残度数を受信して照合ＯＫとした時刻）と会員カード５が返却された時刻（センター管理装置６０が返却操作情報を受信した時刻）に基づいて算出される例について説明したが、これに限らず、遊技時間情報は、パチンコ機１０においてパチンコ玉の打込に伴い発生する打込玉信号や、パチンコ玉の払出に伴い発生する払出玉信号や、パチンコ玉が始動入賞口に入ったことによって発生するスタート信号に基づいて算出しても良い。
【００９９】
上記の実施形態では、出力処理手段（通信部６１及び制御部６２）が行う処理が、集計手段により集計した集計情報を情報端末７０に対して送信する処理である例について説明したが、これに限らず、出力処理手段が行う処理は、センター管理装置７０のディスプレイ７５に集計情報を出力する処理であっても良い（このときには表示制御を行う制御部６２が出力処理手段となる）。即ち、出力先は任意であり、出力処理手段は、集計手段により集計した集計情報を出力するための処理を行うものであれば良い。
【０１００】
上記の実施形態では、情報端末７０が遊技場外に設けられている例について説明したが、これに限らず、情報端末７０が遊技場内に設けられていても良い。また、情報端末７０は遊技場管理装置５０と一体のものであっても良い。即ち、情報端末７０は、遊技用会員管理装置であるセンター管理装置６０と通信可能なものであれば良い。
【０１０１】
上記の実施形態では、情報端末７０がセンター管理装置６０に対して集計情報要求を送信する際に、ユーザＩＤとパスワードを送信する例について説明したが、これに限らずユーザＩＤとパスワードを送信せずに集計情報要求のみ送信しても良い。センター管理装置６０においては、集計情報の閲覧を許可した情報端末のＩＰアドレスを記憶しておき、集計情報要求を送信した情報端末７０のＩＰアドレスと、記憶しているＩＰアドレスが一致した際に、該ＩＰアドレスの情報端末７０に対して対応する集計情報を送信する。この際、遊技場特定情報はＩＰアドレスである。
【０１０２】
上記の実施形態では、遊技関連情報として、各遊技場１の遊技場管理装置５０から、遊技場１の閉店後に遊技情報ＤＢの管理内容がセンター管理装置６０に対して送信される（即ち来店情報，消費金額情報，及び遊技時間情報が一括して会員ＩＤと共に送信される）例について説明したが、これに限らず、来店情報、消費金額情報、又は遊技時間情報のうちの少なくとも一以上の情報と、会員ＩＤとを含む遊技関連情報が送信されていれば良い。また、送信するタイミングは各遊技場１の閉店後に限らず任意である。
【０１０３】
上記の実施形態では、遊技用会員管理装置であるセンター管理装置６０が会員カード管理機構２に設けられる例について説明したが、これに限らず、請求項１に記載した遊技用会員管理装置の場合には、遊技場内に設けられ、該遊技場についての情報のみを集計するものであっても良い。
【図面の簡単な説明】
【０１０４】
【図１】図１はセンター管理装置を含む各装置の機能ブロック図である。
【図２】図２（ａ）はカードユニットの一例を表す正面図であり、図２（ｂ）は同右断面側面図であり、図２（ｃ）は同機能ブロック図である。
【図３】図３はカードユニットのディスプレイに表示される画面の一例を表す図である。
【図４】図４（ａ）は遊技場管理装置のハードディスクに記憶される遊技情報ＤＢの管理情報の一例を表す図であり、図４（ｂ）はセンター管理装置のハードディスクに記憶される遊技情報ＤＢの管理情報の一例を表す図である。
【図５】図５はセンター管理装置のディスプレイに表示される画面の一例を表す図である。
【図６】図６（ａ）はセンター管理装置のハードディスクに記憶される会員情報ＤＢの管理情報の一例を表す図であり、図６（ｂ）は同ハードディスクに記憶される遊技場ＤＢの管理情報の一例を表す図である。
【図７】図７はセンター管理装置のハードディスクに記憶される日別集計ＤＢの管理情報の一例を表す図である。
【図８】図８はセンター管理装置のハードディスクに記憶される月別集計ＤＢの管理情報の一例を表す図である。
【図９】図９はセンター管理装置のハードディスクに記憶される宣伝情報ＤＢの管理情報の一例を表す図である。
【図１０】図１０は情報端末のディスプレイに表示される画面の一例を表す図である。
【図１１】図１１（ａ）は情報端末のディスプレイに表示される月別集計ＤＢの管理情報の一例を表す図であり、図１１（ｂ）は情報端末のディスプレイに表示される会員分布地図の一例を表す図である。
【図１２】図１２は情報端末のディスプレイに表示される新規会員数推移グラフの一例を表す図である。
【図１３】図１３は情報端末のディスプレイに表示される来店人数推移グラフの一例を表す図である。
【符号の説明】
【０１０５】
４…インターネット
６０…センター管理装置
６１…通信部
６２…制御部
６３…ハードディスク
７０…情報端末
【図１】
2005130901.tif 000003
【図２】
2005130901.tif 000004
【図３】
2005130901.tif 000005
【図４】
2005130901.tif 000006
【図５】
2005130901.tif 000007
【図６】
2005130901.tif 000008
【図７】
2005130901.tif 000009
【図８】
2005130901.tif 000010
【図９】
2005130901.tif 000011
【図１０】
2005130901.tif 000012
【図１１】
2005130901.tif 000013
【図１２】
2005130901.tif 000014
【図１３】
2005130901.tif 000015